(57)【要約】フレーム部材（１２）および複数の扉（１４）を有するセキュリティ組立体がATMまたは金庫等の筐体（４）内に取り付け可能である。各扉（１４）は他の扉とは独立して開かれ、閉じられることができる。図４および図５を参照するに、各扉（１４）はフレーム部材（１２）にヒンジ（１６）によって取り付けられる。扉（１４）をロックするはたらきをするバリア部材（１８）が二つの枢動ブラケット（２０）によって扉（１４）にマウントされる。ロック状態では、バリア部材（１８）は、扉およびフレームの間の境界を通じたアクセスを防止するために、扉の辺の実質的に全長に沿って延在する。複数の独立して可動なロック・ブレード（２２）の形のバリア部材アクチュエータがフレームに摺動可能にマウントされる。ロック・ブレード（２２）は駆動手段（図示せず）によって作動される。
2010529330.tif 000002
【特許請求の範囲】
【請求項１】
セキュリティ組立体であって：
フレーム部材と；
前記フレーム部材にマウントされた少なくとも一つの扉であって、少なくとも一つの前記扉を通じたアクセスを許す開状態と少なくとも一つの前記扉を通じたアクセスを防止する閉状態との間で動ける扉と；
前記扉の周の一つの側と、前記扉の周の前記側に面するフレーム部材またはさらなる扉との間のギャップの実質的に全体にわたって延在し前記ギャップを通じたアクセスを防止するよう構成された少なくとも一つのバリア部材とを有する、
組立体。
【請求項２】
前記の一つの扉または各扉の周によって定義されるギャップを通じたアクセスを防止するために、前記の一つの扉または各扉の周の実質的に全長をまわって延在するよう配置される複数のバリア部材をさらに有する、請求項１記載の組立体。
【請求項３】
前記の一つのバリア部材または各バリア部材は、前記フレーム部材または少なくとも一つの前記扉によって支持され、ロック状態をもち、ロック状態では、前記バリア部材は、前記扉を前記閉状態にロックしておくために、少なくとも一つの前記扉および前記フレーム部材のうちの他方の上に配される少なくとも一つの係合部材に摺動可能に受け入れられる、請求項２記載の組立体。
【請求項４】
少なくとも一つの前記係合部材が、少なくとも一つの前記扉またはフレーム部材に形成された凹部を有する、請求項３記載の組立体。
【請求項５】
少なくとも一つのバリア部材アクチュエータを有する請求項３または４記載の組立体であって、前記の一つのまたは各バリア部材アクチュエータはロック状態を有し、ロック状態では該バリア部材アクチュエータが少なくとも一つの前記バリア部材と係合して前記の一つのまたは各バリア部材をロック状態に動かす、組立体。
【請求項６】
前記バリア部材アクチュエータは、少なくとも一つの前記扉の周の一つの側によって定義されるギャップにわたって延在し、ロック状態にあるときに前記ギャップを通じたアクセスを防止する、請求項５記載の組立体。
【請求項７】
前記バリア部材アクチュエータがロック状態から引っ込められるときに少なくとも一つの前記バリア部材を未ロック状態に戻すよう適応された付勢手段をさらに有する、請求項５または６記載の組立体。
【請求項８】
少なくとも一つの前記扉は、ラミネートされた構造にある、物質の複数のシートから形成される、請求項１ないし７のうちいずれか一項記載の組立体。
【請求項９】
物質の第一のシートは物質の第二のシートとは異なる物質から形成される、請求項８記載の組立体。
【請求項１０】
前記の一つのまたは各バリア部材は、物質の第三のシートから形成される、請求項８または９記載の組立体。
【請求項１１】
付属の図面を参照して実質的にこれまでに記載されたセキュリティ組立体。
【請求項１２】
フレーム部材および少なくとも一つの扉を有するセキュリティ組立体を制御する方法であって：
少なくとも一つの前記扉が閉状態から開状態に動くことが要求されるときに、前記扉が所定の第一の過去の時間期間内に開状態にあったかどうかを判定し；
前記扉が前記所定の過去の第一の時間期間の間開状態になかった場合、前記ドアが開かれることを許容し；あるいは
前記扉が前記所定の過去の第一の時間期間の間に開状態にあった場合、前記ドアを閉状態に保持する、
ステップを有する方法。
【請求項１３】
前記扉が前記所定の過去の第一の時間期間の間開状態になかった場合、所定の第二の時間期間の終わりを待ち、次いで前記扉が開かれることを許容することをさらに含む、請求項１２記載の方法。
【請求項１４】
付属の図面を参照して実質的にこれまでに記載された、フレーム部材および少なくとも一つの扉を有するセキュリティ組立体を制御する方法。
【請求項１５】
フレーム部材および少なくとも一つの扉を有するセキュリティ組立体を制御する制御装置であって、請求項１２ないし１４のうちいずれか一項記載の方法を使うよう適応された制御手段を有する、装置。
【請求項１６】
前記セキュリティ組立体が複数の扉を有しており、各前記扉はそれぞれのアクセス・スイッチを有しており、アクセス・スイッチを閉じることは当該制御装置に対して、対応する扉が閉状態から開状態に移ることが要求されていることを示す、請求項１５記載の装置。
【請求項１７】
当該装置が各前記扉が開かれることができない非アクティブ状態と、扉が開かれることができるアクティブ状態とを有し、ここで、アクティブ状態は、前記アクセス・スイッチを所定のシーケンスで閉じることによってアクティブ化される、請求項１６記載の装置。
【請求項１８】
付属の図面を参照して実質的にこれまでに記載された、フレーム部材および少なくとも一つの扉を有するセキュリティ組立体を制御する制御装置。
【発明の詳細な説明】
【技術分野】
【０００１】
本発明は、貴重品を保護するためのセキュリティ組立体に関する。本発明はまた、フレーム部材および少なくとも一つの扉を有するセキュリティ組立体の制御方法にも関し、フレーム部材および少なくとも一つの扉を有するセキュリティ組立体を制御する装置にも関する。
【背景技術】
【０００２】
現金自動預入支払機（ATM）は一般に、キー・パッド、カード・スロット、画面およびキャッシュ・ディスペンサーをもつ正面を備える。ATMの背面は、ATMに現金を供給するために着脱可能な現金カセットがマウントされる複数のスロットを有するラックを備える。現金カセットは一般に、一つまたは複数の強化された扉によって保護される。この型のATMには、ATMの背面扉からのアクセスを得れば現金カセットすべてにアクセスできるという欠点がある。金庫も同じ問題があることがある。金庫の外側扉が破られれば、金庫の中身へのアクセスが得られる。
【０００３】
GB2363426は、複数のロック棒を有するATMからの現金カセットの取り外しを防止する装置を記載している。各カセットはそれぞれのロック棒を有し、各ロック棒は個々にロック可能である。これは、あるロック棒を除去しても、カセットすべてではなく単一の現金カセットへのアクセスが許されるのみであるということを意味する。
【０００４】
GB2363426の装置には、ロック棒は現金カセットの一部にわたってのみ延在するという欠点がある。これは、現金カセットは、ロック棒の間のギャップを通じて切断して開かれることに対して脆弱であり、現金の取り出しを許容してしまうということを意味する。GB2363426の装置にはまた、一つの実施形態では、ロック棒が完全に除去可能であるという欠点がある。これは、攻撃者がロック棒を、ATMに補充しているセキュリティ要員に対する武器として使う可能性がありうるということを意味する。
【発明の概要】
【発明が解決しようとする課題】
【０００５】
本発明のある好ましい実施形態は、従来技術の上記の欠点を克服しようとするものである。
【課題を解決するための手段】
【０００６】
本発明によれば、セキュリティ組立体であって：
フレーム部材と；
前記フレーム部材にマウントされた少なくとも一つの扉であって、該少なくとも一つの扉を通じたアクセスを許す開状態と該少なくとも一つの扉を通じたアクセスを防止する閉状態との間で動ける扉と；
前記扉の周の一つの側と、前記扉の周の前記側に面するフレーム部材またはさらなる扉との間のギャップの実質的に全体にわたって延在し前記ギャップを通じたアクセスを防止するよう構成された少なくとも一つのバリア部材とを有する、
セキュリティ組立体が提供される。
【０００７】
これは、潜在的な攻撃者が当該組立体を破って中にアクセスすることを難しくするという利点を提供する。前記バリア部材は、前記扉と前記フレームまたは隣接する扉との間のギャップを通じたアクセスを防止する。これは、てこの作用で当該組立体を分解するためのバール（crow  bar）のような攻撃道具をもって当該組立体にとっかかりを得ることを難しくする。
【０００８】
ある好ましい実施形態では、前記組立体はさらに、前記扉または各扉の周によって定義されるギャップを通じたアクセスを防止するために、前記扉または各前記扉の周の実質的に全長をまわって延在するよう配置される複数のバリア部材を有する。
【０００９】
これは、前記扉を通じたアクセスを得ることの困難をさらに増すという利点を提供する。というのも、前記扉を取り外すことができるためには、前記扉のすべての側への攻撃に成功しなければならなくなるからである。
【００１０】
ある好ましい実施形態では、前記バリア部材または各前記バリア部材は、前記フレーム部材または少なくとも一つの前記扉によって支持され、ロック状態をもつ。ロック状態では、前記バリア部材は、前記扉を前記閉状態にロックしておくために、少なくとも一つの前記扉および前記フレーム部材のうちの他方の上に配される少なくとも一つの係合部材に摺動可能に受け入れられる。
【００１１】
少なくとも一つの前記係合部材は、少なくとも一つの前記扉またはフレーム部材に形成された凹部を有していてもよい。
【００１２】
これは、前記扉が攻撃されてそのマウント部からゆるめられる場合、たとえばヒンジが破壊される場合、バリア部材が周囲の凹部に摺動可能に受け入れられるおかげにより扉が単に前後に摺動するのみで、扉を通じたアクセスはいまだ防止されるという利点を提供する。したがって、これは、ゆるめられた扉が可動なので、アクセスを得るためにバールのような道具を扉またはフレームに対してくさびのように打ち込むことをより困難にする。というのも、力が加えられたときに扉は動くことがあり、これはつまり道具がスリップするということだからである。
【００１３】
本組立体はさらに、少なくとも一つのバリア部材アクチュエータを有していてもよい。前記バリア部材アクチュエータまたは各前記バリア部材アクチュエータはロック状態を有し、ロック状態では該バリア部材アクチュエータが少なくとも一つの前記バリア部材と係合して前記または各前記バリア部材をロック状態に動かす。
【００１４】
これは、前記バリア部材のすべてをロック状態に動かすための比較的単純な機構であるという利点を提供する。
【００１５】
ある好ましい実施形態では、前記バリア部材アクチュエータは、少なくとも一つの前記扉の周の一つの側によって定義されるギャップにわたって延在し、ロック状態にあるときに前記ギャップを通じたアクセスを防止する。
【００１６】
これは、前記バリア部材アクチュエータも当該セキュリティ組立体を通じたアクセスを防止するのを助けるという利点を提供する。
【００１７】
前記組立体はさらに、前記バリア部材アクチュエータがロック状態から引っ込められるときに、少なくとも一つの前記バリア部材を未ロック状態に戻すよう適応された付勢手段を有していてもよい。
【００１８】
少なくとも一つの前記扉は、ラミネートされた構造にある、物質の複数のシートから形成されてもよい。
【００１９】
これは、比較的強い構造を生じるという利点を提供する。
【００２０】
ある好ましい実施形態では、物質の第一のシートは物質の第二のシートとは異なる物質から形成されてもよい。
【００２１】
これは、当該組立体を攻撃するためにガスまたは熱による切断が試みられる場合、共通の閉じ込められた炎（common  and  confined  flame）で二つの異なる物質を焼こうと試みることによって有害な反応性ガスが生成されうるという利点を提供する。たとえば、ラミネートされた構造が、磨き軟鋼（bright  mild  steel）の層とステンレス鋼の層を有する場合、燃焼の結果として有害ガスが生成され、切断は危険となる。また、二つの物質が異なる仕方で溶融および燃焼するため、扉を切断することがより困難にもなり、これは当該組立体を攻撃するのにかかる時間を伸ばすことになる。
【００２２】
前記バリア部材または各前記バリア部材は、物質の第三のシートから形成されてもよい。
【００２３】
これは、前記バリア部材が扉のラミネート化された構造の一部を形成するという利点を提供する。これは扉の強度を高める。一般にはロックの存在は扉を弱めるが、扉およびバリア部材のラミネート化された構造は、事実上物質の単一のシートである扉を作り出し、弱点をなくす。
【００２４】
本発明のもう一つの側面によれば、フレーム部材および少なくとも一つの扉を有するセキュリティ組立体を制御する方法が提供される。本方法は：
少なくとも一つの前記扉が閉状態から開状態に動くことが要求されるときに、前記扉が所定の第一の過去の時間期間内に開状態にあったかどうかを判定するステップと；
前記扉が前記所定の過去の第一の時間期間の間開状態になかった場合、前記ドアが開かれることを許容するステップと；
前記扉が前記所定の過去の第一の時間期間の間に開状態にあった場合、前記ドアを閉状態に保持するステップとを有する。
【００２５】
ATMの場合、泥棒は一般に、セキュリティ要員によるATMの補充がほとんど完了するまで待ってからATM強盗を試みる。これは、ATMが満杯に近いであろうから、攻撃者にとってより多くの現金が入手可能であるということを意味する。結果として、セキュリティ組立体の扉が所定の第一の過去の時間期間内、たとえば過去１時間以内に開状態にあったかどうかが判定され、その期間内に扉が開かれていたら扉を閉状態に保持する方法を提供することによって、これは、現金カセットが補充されて付随する扉が閉じられた場合には、その現金カセットへのアクセスは補充後１時間は防止されるという利点を提供する。これは、泥棒が現金にアクセスすることがより困難になるということを意味し、また、泥棒が、限られた量の現金しか簡単に入手可能ではないとわかっているので、保護されているATM強盗を試みることが抑止されるということをも意味する。
【００２６】
ある好ましい実施形態では、本方法はさらに、前記扉が前記所定の過去の第一の時間期間の間に開状態になかった場合、所定の第二の時間期間の終わりを待ち、次いで前記扉が開かれることを許容するステップを有する。
【００２７】
所定の第二の時間期間の終わりを待って、たとえば30秒待って、次いで扉を開くことは、泥棒にとってのさらなる抑止という利点を提供する。というのも、泥棒が貴重品にアクセスするまでの時間が増すからである。たとえば、ATMが攻撃され、ATMが４つの現金カセットを有するとすると、現金カセットを保護する四つの扉すべてを開くのにかかる時間に２分の合計時間期間が加えられる。泥棒が銀行に押し入った場合、銀行の警報システムは一般にはすでに作動しているであろう。よって、警報状態下で作業する泥棒にとっての２分の追加は主要な抑止としてはたらくであろう。
【００２８】
本発明のあるさらなる側面によれば、フレーム部材および少なくとも一つの扉を有するセキュリティ組立体を制御する制御装置であって、上に定義した方法を使うよう適応された制御手段を有するものが提供される。
【００２９】
前記セキュリティ組立体は、複数の扉を有していてもよく、各前記扉はそれぞれのアクセス・スイッチを有していてもよく、ここで、アクセス・スイッチを閉じることは当該制御装置に対して、対応する扉が閉状態から開状態に移ることが要求されていることを示す。
【００３０】
ある好ましい実施形態では、当該装置は、各前記扉が開かれることができない非アクティブ状態と、扉が開かれることができるアクティブ状態とを有し、ここで、アクティブ状態は、前記アクセス・スイッチを所定のシーケンスで閉じることによってアクティブ化される。
【００３１】
これは、いかなる専用の鍵も他のコントロールもなしで当該制御装置をアクティブ化できるという利点を提供する。これは、当該セキュリティ組立体をアクティブ化する隠された方法を提供する。というのも、扉を開くために使われるスイッチまたはボタンが前記組立体をアクティブ化するためにも作用するからである。
【００３２】
ここで、本発明のある好ましい実施形態について、付属の図面を参照しつつ、決して限定的な意味ではなく単に例として、記載する。
【図面の簡単な説明】
【００３３】
【図１】本発明を具現するセキュリティ組立体が、該セキュリティ組立体の扉が開状態にある状態で示されているATMの背面図である。
【図２】図１に対応するATMで、セキュリティ組立体の扉が閉状態で示されている背面図である。
【図３】図１および図２に対応するATMで、セキュリティ組立体の一つの扉が開状態で示されている背面図である。
【図４】部分断面図で示されているセキュリティ組立体の背面図である。
【図５】図４に対応するセキュリティ組立体の背後からの斜視図である。
【図６】図１ないし図５のセキュリティ組立体の扉の一つの、三つのロック・ブレードが引っ込められた状態にある正面図である。
【図７】図６の扉の、ロック・ブレードがロック状態で示されている正面からの部分断面図である。
【図８】前記セキュリティ組立体の扉の一つの背面斜視図である。
【図９】図８の扉の上からの図である。
【図１０】バリア部材のすべてが未ロック状態にあり、扉の一つが開いているセキュリティ組立体の、部分断面図にした背面図である。
【図１１】図１０のセキュリティ組立体の、扉が内向きに強制されることを防止するブロック部材を示す、明確のために扉の二つを除去した背面図である。
【発明を実施するための形態】
【００３４】
図１ないし図３を参照するに、ATM２は筐体４およびロック機構８をもつ強化外側扉６を有する。ATM２は四つの現金コンパートメント１０（図１）を有する。現金コンパートメント内には、ATM２に払い出されるべき現金を供給するために、紙幣を含んでいる現金カセット（図示せず）がマウントされることができる。フレーム部材１２および複数の扉１４を有するセキュリティ組立体が、ATM２の筐体４の内部にマウント可能である。セキュリティ組立体は、ATM内部に溶接されることができる。
【００３５】
図１は、扉１４のすべてを開状態で示しており、現金カセット（図示せず）を保持するコンパートメントすべてへのアクセスを許す状態である。図２は、扉１４のすべてをロック状態で示しており、コンパートメント１０へのアクセスを防止する状態である。図３は、扉１４の一つを開状態で示しており、コンパートメント１０の一つへのアクセスを許容する状態である。一時には一つのコンパートメント１０にしかアクセスを許容しないよう、扉１４のそれぞれは独立してロック可能である。それにより、ATM２を補充するサービス人員が攻撃された場合に攻撃者が最初は単一のコンパートメント１０、よって単一の現金カセットにアクセスできるだけとなり、これは泥棒がさらなる現金カセットにアクセスを得るのにかかる時間を増すことになり、抑止としてはたらくであろう。
【００３６】
図４および図５を参照すると、各扉１４はヒンジ〔ちょうつがい〕１６によってフレーム部材１２に取り付けられている。扉１４をロックするようはたらくバリア部材１８が扉１４に二つの枢動ブラケット２０によってマウントされる。ロック状態にあるときに扉の周とフレームとの間のギャップを通じたアクセスを防止するため、バリア部材１８は実質的に、扉の周の一つまたは複数の側の全長に沿って延在する。ロック状態にあるバリア部材は、隣接する扉またはフレーム部分の凹部といった係合部材中に受け入れられる。あるいはまた、係合部材は、隣接する扉またはフレーム部分に取り付けられたブラケット（図示せず）であってもよい。
【００３７】
複数の独立して可動なロック・ブレード（locking  blade）２２の形のバリア部材アクチュエータがフレーム１２に摺動可能にマウントされる。ロック・ブレード２２は、ロック・ブレード２２を左方の引っ込められた状態から右方のロック状態に動かす駆動手段（図示せず）によって作動される。図４および図５は、ロック・ブレードをロック状態で示している。ロック・ブレード２２は、フレームと扉との間の境界を通じたアクセスを防止する。
【００３８】
下部の扉１４ｌはまた、一般に、フレームの下部に形成された対応する凹部に受け入れられることのできる下部バリア部材（図示せず）を有するであろうことは理解しておくべきである。そのような下部バリア部材は図１０に示される。
【００３９】
図６を参照するに、扉１４をロックするためには、扉１４に関連付けられたロック・ブレード２２のそれぞれは、矢印Ａの方向に右方にロック状態に動かされる。個々の各扉が独立してロック可能とすることを許容するため、各ロック・ブレード２２は他のロック・ブレードとは独立して可動であることを理解しておくべきである。これについてはのちに述べる。
【００４０】
図７を参照するに、ロック・ブレード２２が矢印Ａの方向にロック状態に動く際、いちばん上のロック・ブレードはバリア部材１８の左端に当たり、マウンティング・ブラケット２０を矢印Ｂの方向に枢動させ、バリア部材１８を矢印Ｃの方向に動かしてロック状態にする。ロック状態では、扉１４を閉状態にロックして、その扉１４が前面に位置している現金容器へのアクセスを防止するために、バリア部材１８は他の扉１８の一つにまたはフレーム部材に形成された凹部（図示せず）の中に突き出している。ロック・ブレード２２が引っ込められるときにバリア部材１８を未ロック状態に戻すよう、戻りばね２４（図１０）が設けられる。扉１４は、いちばん下のブレード２２によって作動されることのできる下のバリア部材（図示せず）をも有していてもよい。
【００４１】
図８および図９を参照するに、各扉は物質の三つの層１４ａ、１４ｂおよび１４ｃから形成される。これらの層は金属であってもよく、各層１４ａないし１４ｃは異なる型の金属から形成されてもよい。たとえば、層１４ａおよび１４ｃは磨き軟鋼から形成されることができ、層１４ｂはステンレス鋼から形成されることができる。また、バリア部材１８は、シート１４ａ、１４ｂおよび１４ｃを形成するのに使われる金属とは異なることのできる金属のような物質のシートに形成されることができる。これは、セキュリティ組立体にガスまたは熱による切断による攻撃がかけられる場合、これら二つの物質を共通の閉じ込められた炎で焼こうとする試みは有害な反応性ガスを生じうるということを意味する。これは熱による切断の攻撃を危険にする。二つの異なる物質を焼き切ろうとする試みも、セキュリティ組立体を焼き切るのにかかる時間を増す。図９では、層１４ｂが層１４ａおよび１４ｃからへこんでいて、二つの扉を合わせてロックするために、あるいは扉をフレームにロックするためにバリア部材１８が摺動可能に受け入れられる凹部を形成していることも見て取れる。
【００４２】
バリア部材１８を物質のシートから形成することは、バリア部材１８が扉１４のラミネートされた構造の一部を形成するということを意味し、これは扉の強度を増す。一般に、ロックの存在は扉を弱くするが、扉１４およびバリア部材１８のラミネートされた構造は、弱点をなくすよう事実上物質の単一のシートである扉を作り出す。
【００４３】
図１１を参照するに、扉１４が内側に強制的に動かされるのを防止するために、セキュリティ組立体の背後にブロッキング部材２４が設けられることができる。
【００４４】
ここで、図４および図５を参照してセキュリティ組立体の動作について述べる。各扉１４は少なくとも二つのロック・ブレード２２および関連付けられたバリア部材１８を有する。たとえば、図４に示される上扉１４ｕはロック・ブレード２２ｕおよびそれに関連付けられたバリア部材１８ｕを有する。ロック・ブレード２２ｕは互いに独立に、かつフレーム１２に沿って配された他のロック・ブレード２２のすべてとも独立に可動である。バリア部材１８は、ロック状態にあるとき、隣接する扉に形成された凹部に位置されるか、あるいはフレームに形成された凹部に位置されることができる。たとえば、上扉１４ｕのバリア部材１８ｕは、フレーム１２に形成された凹部（図示せず）に受け入れられ、一方、下扉１４ｌのバリア部材１８ｌは、下扉１４ｌの上の扉１４に受け入れられる凹部（図示せず）に位置される。下扉１４ｌは一般には、フレームの下部に形成される対応する凹部に受け入れられることができる下のバリア部材（図示せず）をももつであろうことは理解しておくべきである。そのような下のバリア部材は図１０に示される。
【００４５】
サービス人員がATMのいちばん上の現金カセットへのアクセスを要求する場合、ロック・ブレード２２ｕは引っ込められ、それによりバリア部材１８ｕがロック状態から解放され、上扉１４ｕが開かれることが許容される。しかしながら、残りのバリア部材２２は引っ込められない。これは、残りの扉はまだロックされているということを意味する。本組立体の強度を高めるために、さらなるバリア部材が、扉のヒンジ側に設けられることができる。ただし、そうしたバリア部材は明確のために図示していない。
【００４６】
本組立体が攻撃されて扉１４の一つがそのヒンジから壊される場合でも、ゆるんだ扉が隣接するバリア部材１８上を摺動し、たとえ扉がそのヒンジから壊されたとしてもロック・ブレード２２はロック状態のままであるので、扉を外すことは非常に難しいであろう。バリア部材１８およびロック・ブレード２２は、扉が内側に押されたり外側に引かれたりするのを防ぐため、他の扉４およびフレームと相互作用する。扉がそれぞれのバリア部材およびロック・ブレード上で摺動可能である結果として、またバリア部材およびロック・ブレードが実質的に隣接する扉およびフレームの間の境界を覆うため、バールのような道具で本組立体にとっかかりを得ることは非常に難しい。というのも、扉は、ヒンジから壊された場合、単に互いに対して摺動してしまうからである。結果として、複数の扉が相互依存し合って強度を高める。したがって、扉を壊して通過することは非常に困難である。
【００４７】
本セキュリティ組立体はまた、金庫、薬キャビネットまたはアクセスを制限することが望ましい任意の位置で使用されることもできることは理解しておくべきである。さらに、一つのコンパートメントのみが保護する必要がある場合には、扉のまわりに延在する諸バリア部材を有する単一の扉が使用されることができる。バリア部材によって与えられる利点は単一の扉にも複数の扉にも等しく当てはまるからである。
【００４８】
図１ないし図３を参照するに、各扉１４はボタンの形のそれぞれのアクセス・スイッチ（図示せず）およびそれぞれのレバー（図示せず）を有していてもよい。本セキュリティ組立体をアクティブ化するために、遠隔制御室から、ボタンおよびレバーが扉を開くために使用できるようにする信号が送信されることができる。あるいはまた、本セキュリティ組立体は、特定の時間窓の間にのみ扉１４が開かれることができるようにするタイマー（図示せず）を有することができる。たとえば、時間窓は、セキュリティ人員がATMに補充するためにいるであろう時間と一致することができる。さらに、所定のシーケンスでボタンを押下することがセキュリティ組立体をアクティブ化することができる。制御手段（図示せず）が、正しいシーケンスが入力されたかどうかを判定して、次いで本組立体をアクティブ化することになる。これは、本組立体は専用の鍵やその他のコントロールなしでアクティブ化されることができるという利点を提供し、したがって、扉を開くために使われるボタンが本組立体をアクティブ化するはたらきもするので、本セキュリティ組立体をアクティブ化する隠された方法を提供する。
【００４９】
本セキュリティ組立体はまた、制御手段（図示せず）をも有する。制御手段は電子的制御手段を有していてもよいし、あるいは機械的なタイミング機構を有することもできる。セキュリティ組立体がアクティブ化されているときに、扉１４のうちの一つの扉のボタンが押下される。次いで制御手段は自動的に以下のステップのシーケンスをたどる。
【００５０】
１．扉１４が所定の第一の過去の時間期間の間に、たとえば過去１時間の間に開いたことがあったかどうかの判定がされる。
【００５１】
２．その扉が過去１時間の間に開いたことがあった場合、制御手段はその扉が開かれることを許容しない。このことは、制御手段がレバー（図示せず）をバリア部材１８に接続せず、それにより、レバーを動かしてもバリア手段が引っ込んで未ロック状態になることがないようにすることによって達成される。
【００５２】
３．あるいは、過去１時間にその扉が開いたことがなかった場合、所定の第二の時間期間、たとえば３０秒の終わりを待って、その後、その扉のレバー（図示せず）がその扉のそれぞれのバリア部材１８に接続され、ユーザーにレバーを動かしてバリア部材を引っ込めて扉を開くことを許容する。
【００５３】
当業者には、上記のプロセスが機械的手段および電子的手段の両方で達成できることは明白であろう。また、制御手段をアクティブ化して、またバリア部材を引っ込めることの両方のためにボタンを使うこともできるので、レバーの使用は完全に任意的である。
【００５４】
上記のプロセスは、いくつかの利点を提供する。第一に、ATMに補充するセキュリティ要員が攻撃されるのは、一般にATMがほとんどいっぱいになったとき、すなわち四つの現金カセットのうちの三つまたは四つが補充されたときである。扉を開いてからその扉が再び開かれることができるまでに１時間の時間遅延があるとすると、セキュリティ要員が最後のカセットを補充中に攻撃されたとしても、泥棒は最後のカセットにアクセスできるのみであろう。これは、泥棒にとって入手可能な現金の量を減らすことになり、ATMの攻撃をそれほど望ましいものではなくす。さらに、時間遅延のプロセスが全自動であるためセキュリティ要員はどの扉が開かれることができるかについて何ら制御をもたないので、人質の状況が防止される。
【００５５】
扉が開かれることができるまでの第二の時間期間の終わりを待つことは、泥棒にとってセキュリティ組立体へのアクセスを得るのにかかる時間を増すことになる。たとえば、ATMが４つの現金カセット、よって４つの扉１８を有していれば、３０秒の時間期間４つぶんが、扉すべてを開くのにかかる時間に加えられる。泥棒がATMの背後にアクセスを得たとしたら、ATMが収容されている銀行または建物の警報が一般には作動しているであろう。警報状態下で攻撃にかかる時間に２分が加わることは、泥棒にとっての抑止としてはたらく。というのも、泥棒は、セキュリティ・サービスが通知された可能性が高く、ATM現場に向かっているかもしれないとわかるからである。
【００５６】
当業者は、上記の実施形態が、いかなる限定的な意味でもなく、単に例として述べられたこと、また付属の請求項によって定義される本発明の範囲から外れることなくさまざまな変更および修正が可能であることは理解されるであろう。
【図１】
2010529330.tif 000003
【図２】
2010529330.tif 000004
【図３】
2010529330.tif 000005
【図４】
2010529330.tif 000006
【図５】
2010529330.tif 000007
【図６】
2010529330.tif 000008
【図７】
2010529330.tif 000009
【図８】
2010529330.tif 000010
【図９】
2010529330.tif 000011
【図１０】
2010529330.tif 000012
【図１１】
2010529330.tif 000013
【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
セキュリティ組立体であって：
フレーム部材と；
前記フレーム部材にマウントされた少なくとも一つの扉であって、少なくとも一つの前記扉を通じたアクセスを許す開状態と少なくとも一つの前記扉を通じたアクセスを防止する閉状態との間で動ける扉と；
前記扉の周の一つの側と、前記扉の周の前記側に面するフレーム部材またはさらなる扉との間のギャップの実質的に全体にわたって延在し前記ギャップを通じたアクセスを防止するよう構成された少なくとも一つのバリア部材とを有し、
前記の一つのバリア部材または各バリア部材は少なくとも一つの前記扉によって支持され、ロック状態をもち、ロック状態では、前記バリア部材は、前記扉を前記閉状態にロックするために、さらなる扉または前記フレーム部材の上に配される少なくとも一つの係合部材に受け入れられ、
当該セキュリティ組立体はさらに、前記フレーム部材に可動にマウントされた少なくとも一つのバリア部材アクチュエータを有し、前記の一つのまたは各バリア部材アクチュエータはロック状態を有し、ロック状態では該バリア部材アクチュエータは少なくとも一つの前記バリア部材と係合して前記の一つのまたは各バリア部材をロック状態に動かす、
組立体。
【請求項２】
前記の一つの扉または各扉の周によって定義されるギャップを通じたアクセスを防止するために、前記の一つの扉または各扉の周の実質的に全長をまわって延在するよう配置される複数のバリア部材をさらに有する、請求項１記載の組立体。
【請求項３】
少なくとも一つの前記係合部材が、少なくとも一つの前記扉またはフレーム部材に形成された凹部を有する、請求項１または２記載の組立体。
【請求項４】
前記バリア部材アクチュエータは、少なくとも一つの前記扉の周の一つの側によって定義されるギャップにわたって延在し、ロック状態にあるときに前記ギャップを通じたアクセスを防止する、請求項１ないし３のうちいずれか一項記載の組立体。
【請求項５】
前記バリア部材アクチュエータがロック状態から引っ込められるときに少なくとも一つの前記バリア部材を未ロック状態に戻すよう適応された付勢手段をさらに有する、請求項１ないし４のうちいずれか一項記載の組立体。
【請求項６】
少なくとも一つの前記扉は、ラミネートされた構造にある、物質の複数のシートから形成される、請求項１ないし５のうちいずれか一項記載の組立体。
【請求項７】
物質の第一のシートは物質の第二のシートとは異なる物質から形成される、請求項６記載の組立体。
【請求項８】
前記の一つのまたは各バリア部材は、物質の第三のシートから形成される、請求項６または７記載の組立体。
【請求項９】
フレーム部材および少なくとも一つの扉を有するセキュリティ組立体を制御する方法であって：
少なくとも一つの前記扉が閉状態から開状態に動くことが要求されるときに、前記扉が所定の第一の過去の時間期間内に開状態にあったかどうかを判定し；
前記扉が前記所定の過去の第一の時間期間の間開状態になかった場合、前記ドアが開かれることを許容し；あるいは
前記扉が前記所定の過去の第一の時間期間の間に開状態にあった場合、前記ドアを閉状態に保持する、
ステップを有する方法。
【請求項１０】
前記扉が前記所定の過去の第一の時間期間の間開状態になかった場合、所定の第二の時間期間の終わりを待ち、次いで前記扉が開かれることを許容することをさらに含む、請求項９記載の方法。
【請求項１１】
フレーム部材および少なくとも一つの扉を有するセキュリティ組立体を制御する制御装置であって、請求項９ないし１０のうちいずれか一項記載の方法を使うよう適応された制御手段を有する、装置。
【請求項１２】
前記セキュリティ組立体が複数の扉を有しており、各前記扉はそれぞれのアクセス・スイッチを有しており、アクセス・スイッチを閉じることは当該制御装置に対して、対応する扉が閉状態から開状態に移ることが要求されていることを示す、請求項１１記載の装置。
【請求項１３】
当該装置が各前記扉が開かれることができない非アクティブ状態と、扉が開かれることができるアクティブ状態とを有し、ここで、アクティブ状態は、前記アクセス・スイッチを所定のシーケンスで閉じることによってアクティブ化される、請求項１２記載の装置。

【国際調査報告】
2010529330.tif 000014
2010529330.tif 000015
2010529330.tif 000016
2010529330.tif 000017
2010529330.tif 000018
2010529330.tif 000019